【事件の表示】
　特願２０１６−８１３０６号「遊技機」拒絶査定不服審判事件〔平成２９年１０月１９日出願公開、特開２０１７−１８９４５４号〕について、次のとおり審決する。
【結　論】
　本件審判の請求は、成り立たない。
【理　由】
第１　手続の経緯
　本願は、平成２８年４月１４日の出願であって、平成３０年１１月２９日付けで拒絶の理由が通知され、平成３１年１月１８日に意見書及び手続補正書が提出され、令和１年６月３日付けで拒絶の理由が通知され、同年８月５日に意見書及び手続補正書が提出され、令和２年１月１０日付けで最後の拒絶の理由が通知され、同年３月３日に意見書及び手続補正書が提出されたところ、同年５月１２日付け（発送日：同年同月２６日）で同年３月３日付け手続補正が却下されるとともに拒絶査定がなされ、それに対して、同年８月２５日に拒絶査定不服審判の請求がなされると同時に手続補正がなされたものである。
第２　補正の却下の決定
［補正の却下の決定の結論］
　令和２年８月２５日に提出された手続補正書による補正（以下、「本件補正」という。）を却下する。
［理由］
１　補正の内容
　本件補正は、本件補正前の特許請求の範囲、すなわち令和１年８月５日になされた手続補正により補正された特許請求の範囲の請求項１及び２の記載を、以下のとおり、本件補正後の特許請求の範囲の請求項１及び２のものに補正するものである（下線は補正箇所を示す。なお、本件補正後のＡないしＱの符号は合議体により付与されたものである。）。
本件補正前
「【請求項１】
　遊技盤を設けてなる遊技機本体と、
　前記遊技盤の盤面に対向可能な透明板を有して、前記遊技機本体に対し前記遊技盤の盤面側にて開閉可能に支持される前扉と、
　前記遊技盤に形成してなる盤面部品取り付け用開孔部にその前側から対向するように前記遊技盤の盤面に設けられる盤面部品と、
　前記遊技盤にその裏側から設けられる裏部品と
　を備える遊技機において、
　前記遊技機にその裏側から設けられる裏カバーと、
　前記遊技盤に形成してなる中央開口部に対向するように前記裏カバーに形成してなる組み付け穴部に前記中央開口部を通してその前方から視認可能なように組み付けられて演出表示を行う表示装置と、
　前記前扉に設けられる音演出装置と、
　前記盤面部品取り付け用開孔部に対向するように前記裏部品に支持される磁気センサとを備えており、
　前記遊技盤の盤面に沿い転動する遊技球を前記盤面部品に誘導するように当該遊技球に対し前記前扉の前記透明板を介し磁石を対向させたとき、前記磁気センサは、前記磁石の磁気を検出してエラー検出信号を発生し、
　前記表示装置は、その表示面の全面に亘り、所定のエラー画像を、前記演出表示中の表示内容を視認できないように、前記磁気センサの前記エラー検出信号に基づき、表示するようになっており、
　前記音演出装置は、前記磁気センサの前記エラー検出信号に基づき、最大音量にてエラー音を発生するようにしたことを特徴とする遊技機。
　　【請求項２】
　前記裏カバー及び前記表示装置は、それぞれ、前記裏部品の一構成部品を構成してなり、
　前記磁気センサは、前記裏部品の一構成部品として、前記盤面部品取り付け用開孔部に対向するように前記裏カバーに設けられることを特徴とする請求項１に記載の遊技機。」
本件補正後
「【請求項１】
Ａ　遊技盤を設けてなる遊技機本体と、
Ｂ　前記遊技盤の盤面に対向可能な透明板を有して、前記遊技機本体に対し前記遊技盤の盤面側にて開閉可能に支持される前扉と、
Ｃ　前記遊技盤に形成してなる盤面部品取り付け用開孔部にその前側か
ら取り付けら
Ｄ　前記遊技盤にその裏側から設けられる裏部品と
Ｅ　を備える遊技機において、
Ｆ　前記遊技機にその裏側から設けられる裏カバーと、
Ｇ　前記遊技盤に形成してなる中央開口部に対向するように前記裏カバーに形成してなる組み付け穴部に前記中央開口部を通してその前方から視認可能なように組み付けられて演出表示を行う表示装置と、
Ｈ　前記前扉に設けられる音演出装置と
、
Ｉ　
磁
、
Ｊ　
当該磁気センサは、前記遊技盤の前記盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように前記裏部品に支持されており、
Ｋ　
前
Ｌ　前記表示装置は、その表示面の全面に亘り、所定のエラー画像を、前記演出表示中の表示内容を視認できないように、前記磁気センサの前記エラー検出信号に基づき、表示するようになっており、
Ｍ　前記音演出装置は、前記磁気センサの前記エラー検出信号に基づき、最大音量にてエラー音を発生するようにした
Ｎ　ことを特徴とする遊技機。
　　【請求項２】
Ｏ　前記裏カバー及び前記表示装置は、それぞれ、前記裏部品の一構成部品を構成してなり、
Ｐ　前記磁気センサは、前記裏部品の一構成部品として、
前記遊技盤の前
に対しその後側から当該盤面部品取り付け用開孔部を通して投影されたとき当該投影の領域内に位置するように対向して、磁気の流れを妨げられることなく良好な磁気検出機能を発揮し得る
に支持され
Ｑ　ことを特徴とする請求項１に記載の遊技機。」
（以下、本件補正後の請求項１及び請求項２に記載された事項によって特定される発明を、それぞれ、「本願補正発明１」、「本願補正発明２」という。）
２　補正の適否について
（１）　補正事項
　本件補正は、以下の補正事項を含むものである。
ア　補正事項ア
　本件補正前の請求項１に係る発明を特定するために必要な事項である「盤面部品」に関して、「対向するように前記遊技盤の盤面に設けられる」の記載を削除し、代わりに「取り付けられる」との記載を追加する。
イ　補正事項イ
　本件補正前の請求項１に係る発明を特定するために必要な事項である「磁気センサ」に関して、「前記盤面部品取り付け用開孔部に対向するように前記裏部品に支持される磁気センサとを備えており、」の記載を削除し、代わりに、「磁気センサとを備えており、当該磁気センサは、前記遊技盤の前記盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように前記裏部品に支持されており、」との記載を追加する。
ウ　補正事項ウ
　本件補正前の請求項２に係る発明を特定するために必要な事項である「磁気センサ」に関して、「前記盤面部品取り付け用開孔部に対向するように前記裏カバーに設けられる」の記載を削除し、代わりに「前記遊技盤の前記盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように前記裏カバーに支持される」との記載を追加する。
（２）　新規事項追加の有無について
　本件補正は、本願の願書に最初に添付した明細書、特許請求の範囲又は図面における【０００９】、【００１０】、【００１３】、【００１５】、【０１７０】、【０１７１】、図７、図８及び図１０等の記載に基づくものであり、新たな技術事項を導入するものではないから、特許法第１７条の２第３項に規定する要件を満たす。
（３）　本件補正の目的について
ア　補正事項イ及びウは、特許法第１７条の２第５項第２号に掲げる特許請求の範囲の減縮を目的とするものである。
イ　補正事項アは、発明を特定するために必要な事項である「盤面部品」に関して、「対向するように前記遊技盤の盤面に設けられる」の記載を削除し、代わりに「取り付けられる」との記載を追加するものであるが、追加された記載が、削除された記載を限定するものではないことから、発明を特定するために必要な事項を限定するものとはいえず、特許法第１７条の２第５項第２号に掲げる特許請求の範囲の減縮を目的とするものとは認められない。
　また、補正事項アが、請求項の削除、及び、誤記の訂正を、目的とするものでないことは明らかである。
　そして、明りょうでない記載の釈明を目的とする補正は、拒絶理由通知に係る拒絶の理由に示す事項についてするものに限られているところ、明りょうでない記載に関する拒絶の理由は通知されていない。
　したがって、本件補正は、特許法第１７条の２第５項各号に掲げるいずれの事項をも目的としない補正事項を含むものである。
　よって、本件補正は、特許法第１７条の２第５項の規定に違反しているものと認められるので、同法第１５９条第１項において読み替えて準用する同法第５３条第１項の規定により却下すべきものである。
３　独立特許要件について
　本件補正は、上記のとおり、特許法第１７条の２第５項の規定に違反しているものであるが、補正事項アを含む本件補正が、同法第１７条の２第５項第２号に掲げる特許請求の範囲の減縮を目的とするものであると解釈される場合もあるので、本願補正発明１及び２が、特許出願の際独立して特許を受けることができるものであるか（特許法第１７条の２第６項において準用する同法第１２６条第７項の規定に適合するか）について、以下、検討する。
（１）　本願補正発明１
　本願補正発明１は、上記１の「本件補正後」の【請求項１】に記載したとおりのものである。
（２）　引用文献
ア　引用文献１
（ア）　記載事項
　原査定の拒絶の理由において引用された、本願の出願前に公開された特開２０１３−１４６３９４号公報（以下、「引用文献１」という。）には、以下の事項が記載されている（下線は当審で付した。以下、同様。）。
引１−ア
「【００１３】
　以下、本発明の実施形態を図面に基づいて詳述する。図１〜図１２は本発明を
パチンコ機
遊技機本体１
ヒンジ３を介して縦軸心廻りに開閉及び着脱自在に枢着された内枠４
を備え
【００１４】
　
内枠４に
遊技盤５
が
配置され
その内枠４の前側に
遊技盤５の前側を覆
ガラス扉６
ヒンジ３と同じ側のヒンジ８により開閉及び着脱自在に枢着され
遊技盤５側の遊技領域５ａに対応するガラス窓９が設けられ
【００１５】
　
遊技盤５の前面側に
発射手段により発射された遊技球を案内するガイドレール１２
配置され
そのガイドレール１２内の遊技領域５ａに
普通入賞口ユニット１７
着脱自在に装着され
遊技盤５の裏側に
画像表示手段１８を保持する裏ケース１９、不正防止センサユニット２０
装着され
引１−イ
「【００１７】
　
中央表示ユニット１３は、遊技領域５ａの略中央に配置される画像表示手段１８の表示枠を構成するもので、遊技盤５に設けられた表示枠装着孔５ｂ（図４）に前側から着脱自在に装着され、ねじ止め等により遊技盤５に固定されており、その略中央の表示窓２２
が設けられている。
【００１８】
　また
裏ケース１９は、
その略中央に画像表示手段１８の表示画面１８ａに対応
矩形状の開口部２９
形成され
遊技盤５の裏側に装着され、
画像表示手段１８は、演出図柄表示手段３０等を構成するもので、その表示画面１８ａを開口部２９に一致させた状態で裏ケース１９の背面側に着脱自在に固定され
引１−ウ
「【００３６】
　
普通入賞口ユニット１７は、
３つの第１〜第３普通入賞手段６１ａ〜６１ｃが上部側から下部側にかけて一列状に配置され
遊技盤５に設けられた普通入賞口ユニット装着孔５ｅに対して前側から着脱自在に装着され、ねじ止め等により遊技盤５に固定され
【００３７】
　第１〜第３普通入賞手段６１ａ〜６１ｃは、図２，図３及び図６に示すように、遊技領域５ａ内で上向きに開口する第１〜第３普通入賞口６２ａ〜６２ｃと、第１〜第３普通入賞口６２ａ〜６２ｃに入賞した（所定部位を通過した）遊技球を検出する近接センサ６４ａ〜６４ｃとを備えている。近接センサ６４ａ〜６４ｃは、第１〜第３普通入賞口６２ａ〜６２ｃに入賞した遊技球を夫々遊技盤５の後側まで案内する後方案内通路６３の後端側に配置されており、第１〜第３普通入賞口６２ａ〜６２ｃに入賞した遊技球を遊技盤５の後側で検出するようになっている。
【００３８】
　近接センサ６４ａ〜６４ｃからの検出信号に基づいて遊技球が第１〜第３普通入賞口６２ａ〜６２ｃに入賞したものと判定された場合には、１個の入賞につき、第１〜第３普通入賞口６２ａ〜６２ｃ毎に設定された所定個数の賞球が払い出される。なお、第１〜第３普通入賞口６２ａ〜６２ｃのうちの２以上が同じ賞球払い出し個数に設定されている場合には、それらの入賞口に入賞した遊技球を共通の近接センサで検出するようにしてもよい。
【００３９】
　
不正防止センサユニット２０は、
磁気センサ７１と、
磁気センサ７１
を
遊技盤５の後側で保持するセンサホルダ７３
で構成され
【００４０】
　
磁気センサ７１は、ガラス窓９の前側に強力な磁石が押し当てられたような場合にその磁気を検知
主制御基板７５に磁気検知信号を出力するように構成されて
引１−エ
「【００４６】
　
センサホルダ７３は、
普通入賞口ユニット１７の後側に対応して裏ケース
１９の前側にねじ止め等により着脱自在に固定されるベース体８３と、このベース体８３に着脱自在に装着される保持体８４とで構成され
　・・・
【００４８】
　
磁気センサ保持部８１は、
保持体８４上に設けられ、前端部に磁気センサ７１の端面を露出させるための前開口部８１ａが
設けられた前後方向の角筒状に形成されており、磁気センサ７１を、
その先端面が遊技盤５の背面に当接又は近接する位置で保持するようになって
引１−オ
「【００５５】
　続いて、本パチンコ機の制御系のうち、大玉ゴト等による不正入賞を監視するための構成について説明する。本実施形態の
主制御基板７５には、
入賞処理手段９１
が設けられ
入賞処理手段９１には、磁気センサ７１
からの検知信号に基づいて不正行為の蓋然性の高い異常を監視する異常監視手段９４が設けられ
引１−カ
「【００５９】
　
異常監視手段９４は、磁気センサ７１から磁気検知信号を受けた場合、
画像表示手段１８へのエラー表示
エラー警告音の出力
の処理を実行する
引１−キ
「【図１】
」
引１−ク
「【図２】
」
引１−ケ
「【図３】
」
引１−コ
「【図６】
」
引１−サ
「【図７】
」
引１−シ
「【図８】
」
引１−ス
「【図１２】
」
（イ）　認定事項
ａ　認定事項ア
　【００１５】における「ガイドレール１２内の遊技領域５ａには、中央表示ユニット１３」「が」「装着され」の記載、【００１７】における「中央表示ユニット１３は、遊技領域５ａの略中央に配置される画像表示手段１８の表示枠を構成するもので、遊技盤５に設けられた表示枠装着孔５ｂ（図４）に前側から着脱自在に装着され、ねじ止め等により遊技盤５に固定されており、その略中央の表示窓２２」「が設けられている。」の記載より、「
遊技盤５の遊技領域５ａには、画像表示手段１８の表示枠を構成する表示窓２２が設けられた中央表示ユニット１３が装着され
ｂ　認定事項イ
　「パチンコ機における遊技盤の正面図」が記載された図２を参照すると、
表示窓２２を通して、画像表示手段１８の表示画面１８ａを視認可能である
ｃ　認定事項ウ
　図１２には、「パチンコ機の制御系」の構成が図示されており、「パチンコ機」が、「
主制御基板７５
を有す
ｄ　認定事項エ
　【００５９】には、「異常監視手段９４は、磁気センサ７１から磁気検知信号を受けた場合」「に、」「エラー警告音の出力」「等の処理を実行するようになっている。」との記載があることから、「
パチンコ機
は、
エラー警告音
出力手段を有
（ウ）　引用発明
　上記（ア）における摘記事項、及び、（イ）おける認定事項を総合すると、引用文献１には以下の発明（以下、「引用発明」という。）が記載されていると認められる。ａないしｎの符号は、本願補正発明１の構成ＡないしＮに対応させて合議体により付与したものである。
「ａ　ヒンジ３を介して縦軸心廻りに開閉及び着脱自在に枢着された内枠４を備え、内枠４に遊技盤５が配置された遊技機本体１と（【００１３】、【００１４】）、
ｂ　その内枠４の前側にヒンジ３と同じ側のヒンジ８により開閉及び着脱自在に枢着され、遊技盤５の前側を覆い、遊技盤５側の遊技領域５ａに対応するガラス窓９が設けられたガラス扉６と（【００１４】）、
ｃ　遊技盤５の前面側に配置された、発射手段により発射された遊技球を案内するガイドレール１２と（【００１５】）、そのガイドレール１２内の遊技領域５ａに着脱自在に装着された普通入賞口ユニット１７（【００１５】）であって、３つの第１〜第３普通入賞手段６１ａ〜６１ｃが上部側から下部側にかけて一列状に配置され、遊技盤５に設けられた普通入賞口ユニット装着孔５ｅに対して前側から着脱自在に装着され、ねじ止め等により遊技盤５に固定される普通入賞口ユニット１７と（【００３６】、図６）、
ｄ　遊技盤５の裏側に装着された、画像表示手段１８を保持する裏ケース１９、及び、不正防止センサユニット２０と（【００１５】）を備え、
ｅ　主制御基板７５を有するパチンコ機であり（図１、認定事項ウ）、
ｆ　裏ケース１９は、遊技盤５の裏側に装着され（【００１８】）、
ｇ　画像表示手段１８は、演出図柄表示手段３０等を構成するもので、その表示画面１８ａを裏ケース１９の略中央に形成された矩形状の開口部２９に一致させた状態で裏ケース１９の背面側に着脱自在に固定され（【００１８】）、遊技盤５の遊技領域５ａには、画像表示手段１８の表示枠を構成する表示窓２２が設けられた中央表示ユニット１３が装着され（認定事項ア）、前記表示窓２２を通して、画像表示手段１８の表示画面１８ａを視認可能であるように構成され（認定事項イ）、
ｈ　パチンコ機はエラー警告音出力手段を有し（認定事項エ）、
ｉ　不正防止センサユニット２０は、磁気センサ７１と、磁気センサ７１を遊技盤５の後側で保持するセンサホルダ７３で構成され（【００３９】）、
ｊ　センサホルダ７３は、普通入賞口ユニット１７の後側に対応して裏ケース１９の前側にねじ止め等により着脱自在に固定されるベース体８３と、このベース体８３に着脱自在に装着される保持体８４とで構成され（【００４６】、図７）、磁気センサ保持部８１は、保持体８４上に設けられ、前端部に磁気センサ７１の端面を露出させるための前開口部８１ａが設けられた前後方向の角筒状に形成されており、磁気センサ７１を、その先端面が遊技盤５の背面に当接又は近接する位置で保持するようになっており（【００４８】、図８）、
ｋ　磁気センサ７１は、ガラス窓９の前側に強力な磁石が押し当てられたような場合にその磁気を検知し、主制御基板７５に磁気検知信号を出力するように構成されており（【００４０】）、
ｌ　主制御基板７５には、入賞処理手段９１が設けられ、入賞処理手段９１には、磁気センサ７１からの検知信号に基づいて不正行為の蓋然性の高い異常を監視する異常監視手段９４が設けられ（【００５５】）、異常監視手段９４は、磁気センサ７１から磁気検知信号を受けた場合、画像表示手段１８へのエラー表示の処理を実行し（【００５９】）、
ｍ　エラー警告音出力手段へのエラー警告音の出力の処理を実行する（【００５９】、認定事項エ）、
ｎ　パチンコ機（【００１３】）。」
イ　引用文献２
（ア）　記載事項
　原査定の拒絶の理由において引用された、本願の出願前に公開された特開２０１５−２９７３０号公報（以下、「引用文献２」という。）には、以下の事項が記載されている
引２−ア
「【００１６】
（パチンコ機の概略構成について）
　実施例に係る
パチンコ機１０
所要の遊技領域３４が画成された遊技盤３０
を備え
引２−イ
「【００２５】
（第１始動入賞部）
　第１始動入賞部４０は、図２、図３および図５に示すように、
遊技領域３４の第１遊技領域３４Ａに配設された第１入賞部材４１
を備え
第１入賞部材４１は、上方に開口した球入口および該球入口に連通して後方へ開口した球出口を備えた第１始動入賞口４３と、該第１始動入賞口４３に一体に形成された取付ベース部４４とを備え、遊技盤３０に前後に貫通するよう形成した第１貫通孔３７
に第１始動入賞口４３の球出口を整合させた状態で、取付ベース部４４を遊技盤３０にネジ止めして該遊技盤３０に取付けられ
引２−ウ
「【００４０】
（第１球排出ユニット）
　前記第１球排出ユニット１１０は、図４に示すように、遊技盤３０前面の第１遊技領域３４Ａに配設された第１始動入賞部４０に入ったパチンコ球、第１普通入賞口５８，５８に入ったパチンコ球、第１特別入賞部５０に入ったパチンコ球の夫々を、中枠１２の後面における遊技盤保持部２５の下方に配設された球処理部（図示せず）へ排出する複数の球排出路が形成されたユニット部材である。すなわち、第１球排出ユニット１１０は、第１始動入賞部４０から通出されたパチンコ球を球処理部へ排出する第１球排出路１１１と、各第１普通入賞口５８，５８から通出されたパチンコ球を球処理部へ排出する第２球排出路１１２と、第１特別入賞部５０から通出されたパチンコ球を球処理部へ排出する第３球排出路１１３とが設けられている。また、第１球排出ユニット１１０には、前記第１始動入賞球検知センサ４５を配設するための第１センサ取付部１４０および第２始動入賞球検知センサ４７を配設するための第２センサ取付部１４５が設けられると共に、第１普通入賞口５８に入賞したパチンコ球を検知する第１普通入賞球検知センサ５９を配設するための第４センサ取付部１６５が設けられている。更に、第１球排出ユニット１１０には、
遊技盤３０の前面おいて第１始動入賞部４０の近傍
で生じた磁気を検知可能な磁気検知センサ
１５５
引２ーエ
「【図５】
」
引２−オ
「【図７】
」
（イ）　認定事項
　上記図７には、磁気検知センサ１５５が、遊技盤３０に対して第１始動入賞部４０の後方に設けられた点が記載されており、上記図５に記載された磁気検知センサ１５５と第１貫通孔３７の位置関係を参酌すると、
第１貫通孔３７の開口の範囲内の後方に対向させて磁気検知センサ１５５が配設され
（ウ）　引用文献２記載事項
　上記（ア）における摘記事項、及び、（イ）における認定事項を総合すると、引用文献２には以下の事項（以下、「引用文献２記載事項」という。）が記載されていると認められる。
「所要の遊技領域３４が画成された遊技盤３０を備えたパチンコ機１０であって（【００１６】）、
　遊技領域３４の第１遊技領域３４Ａに配設された第１入賞部材４１を備え（【００２５】）、
　第１入賞部材４１は、上方に開口した球入口および該球入口に連通して後方へ開口した球出口を備えた第１始動入賞口４３と、該第１始動入賞口４３に一体に形成された取付ベース部４４とを備え、遊技盤３０に前後に貫通するよう形成した第１貫通孔３７に第１始動入賞口４３の球出口を整合させた状態で、取付ベース部４４を遊技盤３０にネジ止めして該遊技盤３０に取付けられ（【００２５】）、
　第１貫通孔３７の開口の範囲内の後方に対向させて、遊技盤３０の前面において第１始動入賞部４０の近傍で生じた磁気を検知可能な磁気検知センサ１５５が配設された（【００４０】、認定事項オ）、
　パチンコ機１０（【００１６】）。」
ウ　引用文献３
　原査定の拒絶の理由において引用された、本願の出願前に公開された特開２０１６−３００７５号公報（以下、「引用文献３」という。）には、以下の事項が記載されている。
引３−ア
「【０００１】
　本発明は、
弾球遊技機
引３−イ
「【０３７６】
　＜エラー報知の一例／磁気検知エラーのみを報知する場合＞
【０３７７】
　図３６は、図３３〜図３５に示す一遊技中に、磁気検知エラーのみが発生し装飾図柄表示装置２０８において磁気検知エラー報知を行う場合の表示例である。同図における「主：磁気検知ＯＦＦ」の記載は、広範囲磁気センサ７００から主制御部３００に入力される異常な磁気検出信号がない（主制御部３００で磁気検知されていない）ことを示し、「主：磁気検知ＯＮ」は異常な磁気検出信号がある（主制御部３００で磁気検知されている）ことを示す。
　・・・略・・・。
【０３８４】
　同図（ｄ）´のように、
磁気検知エラーが発生した場合は、装飾図柄表示装置２０８に表示されている演出表示
を消去し、
背景をブルースクリーンにし「磁石を検知しました」の文字表示を表示するなどの磁石検知エラー用の表示が表示される
引３−ウ
「【図３６】
」
　
　上記記載より、引用文献３には、以下の事項（以下、「引用文献３記載事項」という。）が記載されていると認められる。
「磁気検知エラーが発生した場合は、装飾図柄表示装置２０８に表示されている演出表示を消去し、背景をブルースクリーンにし「磁石を検知しました」の文字表示を表示するなどの磁石検知エラー用の表示が表示される（【０３８４】）弾球遊技機（【０００１】）。」
（３）　対比
　本願補正発明１と引用発明とを対比する。
ア　本願補正発明１の構成Ａに関して
　引用発明の構成ａにおける「遊技機本体１」は、「ヒンジ３を介して縦軸心廻りに開閉及び着脱自在に枢着された内枠４を備え、内枠４に遊技盤５が配置され」たものであるから、「遊技機本体１」は「遊技盤５」を備えているといえる。
　してみると、引用発明の構成ａにおける「遊技機本体１」は、本願補正発明１の構成Ａにおける「遊技盤を設けてなる遊技機本体」に相当する。
　よって、引用発明は、本願補正発明１の構成Ａに相当する構成を有する。
イ　本願補正発明１の構成Ｂに関して
　引用発明の構成ｂにおける「遊技盤５の前側を覆い、遊技盤５側の遊技領域５ａに対応するガラス窓９が設けられ」ることは、「ガラス窓９」に透明なガラスが設けられることは当業者の技術常識であるから、本願補正発明１の構成Ｂにおける「遊技盤の盤面に対向可能な透明板を有」することに相当する。
　また、引用発明の構成ｂにおける「内枠４の前側に」「開閉及び着脱自在に枢着され」ることは、本願補正発明１の構成Ｂにおける「前記遊技機本体に対し前記遊技盤の盤面側にて開閉可能に支持される」ことに相当する。
　したがって、引用発明の構成ｂにおける「遊技盤５の前側を覆い、遊技盤５側の遊技領域５ａに対応するガラス窓９が設けられ」、「内枠４の前側に」「開閉及び着脱自在に枢着され」た「ガラス扉６」は、本願補正発明１の構成Ｂにおける「前記遊技盤の盤面に対向可能な透明板を有して、前記遊技機本体に対し前記遊技盤の盤面側にて開閉可能に支持される前扉」に相当する。
　よって、引用発明は、本願補正発明１の構成Ｂに相当する構成を有する。
ウ　本願補正発明１の構成Ｃに関して
　引用発明の構成ｃにおける「遊技盤５に設けられた普通入賞口ユニット装着孔５ｅ」は、本願補正発明１の構成Ｃにおける「前記遊技盤に形成してなる盤面部品取り付け用開孔部」に相当し、引用発明の構成ｃにおける「普通入賞口ユニット１７」は、本願補正発明１の構成Ｃにおける「盤面部品」に相当し、引用発明の構成ｃにおける「前側から」「装着され」ることは、本願補正発明１の構成Ｃにおける「前側から取り付けられる」ことに相当する。
　したがって、引用発明の構成ｃにおける「遊技盤５に設けられた普通入賞口ユニット装着孔５ｅに対して前側から着脱自在に装着され」る「普通入賞口ユニット１７」は、本願補正発明１の構成Ｃにおける「前記遊技盤に形成してなる盤面部品取り付け用開孔部にその前側から取り付けられる盤面部品」に相当する。
　よって、引用発明は、本願補正発明１の構成Ｃに相当する構成を有する。
エ　本願補正発明１の構成Ｄに関して
　引用発明の構成ｄにおける「画像表示手段１８を保持する裏ケース１９」と「不正防止センサユニット２０」は、いずれも、「遊技盤５の裏側に装着され」るものであるから、それらは、本願補正発明１の構成Ｄにおける「前記遊技盤にその裏側から設けられる裏部品」に相当する。
　よって、引用発明は、本願補正発明１の構成Ｄに相当する構成を有する。
オ　本願補正発明１の構成Ｅに関して
　引用発明の構成ｅにおける「パチンコ機」は、本願補正発明１の構成Ｅにおける「遊技機」に相当する。
　よって、引用発明は、本願補正発明１の構成Ｅに相当する構成を有する。
カ　本願補正発明１の構成Ｆに関して
　引用発明の構成ｆにおける「遊技盤５の裏側に装着され」る「裏ケース１９」は、本願補正発明１の構成Ｆにおける「前記遊技盤にその裏側から設けられる裏カバー」に相当する。
　よって、引用発明は、本願補正発明１の構成Ｆに相当する構成を有する。
キ　本願補正発明１の構成Ｇに関して
　引用発明の構成ｇにおける「演出図柄表示手段３０等を構成する」「画像表示手段１８」は、本願補正発明１の構成Ｇにおける「演出表示を行う表示装置」に相当する。
　また、引用発明の構成ｇにおける「表示窓２２」は、「遊技盤５の遊技領域５ａ」に「装着され」た「中央表示ユニット１３」に設けられたもので「画像表示手段１８の表示画面１８ａを視認可能」とするものであるから、本願補正発明１の構成Ｇにおける「前記遊技盤に形成してな」り、それ「を通してその前方から視認可能なように」「演出表示を行う表示装置」が「組み付けられ」る「中央開口部」に相当する。
　そして、引用発明の構成ｇにおける「裏ケース１９の略中央に形成された矩形状の開口部２９」は、本願補正発明１の構成Ｇにおける「前記裏カバーに形成してなる組み付け穴部」に相当する。
　したがって、引用発明の構成ｇにおける「裏ケース１９の略中央に形成された矩形状の開口部２９に」「表示画面１８ａを」「一致させた状態で」「裏面ケース１９」「に固定され」、「遊技盤５の遊技領域５ａ」に「装着され」た「中央表示ユニット１３」に設けられた「表示窓２２を通して、」「表示画面１８ａを視認可能であるように構成され」た「画像表示手段１８」は、本願補正発明１の構成Ｇにおける「前記遊技盤に形成してなる中央開口部に対向するように前記裏カバーに形成してなる組み付け穴部に前記中央開口部を通してその前方から視認可能なように組み付けられて演出表示を行う表示装置」に相当する。
　よって、引用発明は、本願補正発明１の構成Ｇに相当する構成を有する。
ク　本願補正発明１の構成Ｈに関して
　引用発明の構成ｈにおける「エラー警告音出力手段」と本願補正発明１の構成Ｈにおける「音演出装置」とは、音出力手段である点で共通する。
ケ　本願補正発明１の構成Ｉに関して
　引用発明の構成ｉにおける「不正防止センサユニット２０」を「構成」する「磁気センサ７１」は、本願補正発明１の構成Ｉにおける「磁気センサ」に相当する。
　よって、引用発明は、本願補正発明１の構成Ｉに相当する構成を有する。
コ　本願補正発明１の構成Ｊに関して
（ア）　引用発明の構成ｉ及び構成ｊにおける「磁気センサ７１を」「保持する」「センサホルダ７３」の「ベース体８３」が「裏ケース１９の前側にねじ止め等により着脱自在に固定される」ことは、「センサホルダ７３」の「ベース体８３」を介して「磁気センサ７１」が「裏ケース１９」に「保持」されることになるから、本願補正発明１の構成Ｊにおける「前記磁気センサ」が「前記裏部品に支持され」ることに相当する。
（イ）　引用発明の構成ｉ及び構成ｊにおける「磁気センサ７１を」「保持する」「センサホルダ７３」の「ベース体８３」が「普通入賞口ユニット１７の後側に対応して」「固定される」ことと、本願補正発明１の構成Ｊにおける「磁気センサ」が「前記盤面部品取り付け用開口部に対しその後側から当該盤面部品取り付け用開孔部を通して投影されたとき当該投影の領域内に位置するように対向して、」「支持され」ることとを対比すると、引用発明は、構成ｃにおいて「普通入賞口ユニット１７」が「遊技盤５に設けられた普通入賞口ユニット装着孔５ｅに対して前側から着脱自在に装着され」るものである点が特定されていることから、引用発明の構成ｊにおける「普通入賞口ユニット１７の後側に対応して」「保持」されることは、「普通入賞口ユニット装着孔５ｅ」「の後側に対応して」「保持」されることであり、両者は、「磁気センサ」が「盤面部品取り付け用開口部に対しその後ろ側から」「対向して、」「支持され」る点で一致する。
（ウ）　上記（ア）及び（イ）より、引用発明の構成ｉ及び構成ｊにおける「磁気センサ７１を」「保持する」「センサホルダ７３」の「ベース体８３」が「普通入賞口ユニット１７の後側に対応して裏ケース１９の前側にねじ止め等により着脱自在に固定され」ることと、本願補正発明１の構成Ｊにおける「当該磁気センサは、前記遊技盤の前記盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように前記裏部品に支持されて」いることとを対比すると、両者は、「当該磁気センサは、前記遊技盤の前記盤面部品取り付け用開口部に対しその後側から」「前記裏部材に支持されて」いる点で一致する。
サ　本願補正発明１の構成Ｋに関して
　引用発明の構成ｋにおいて、遊技盤５の盤面に沿い転動する遊技球を普通入賞口ユニット１７の第１〜第３普通入賞手段６１ａ〜６１ｃに誘導するように当該遊技球に対しガラス窓９を介し磁石を対向させたときには、「磁気センサ７１」が「その磁気を検知し、磁気検知信号を出力」することは明らかであるから、引用発明の構成ｋにおける「磁気検知信号」は、本願補正発明１の構成Ｋにおける「エラー検出信号」に相当し、引用発明の構成ｋにおける「磁気センサ７１は、ガラス窓９の前側に強力な磁石が押し当てられたような場合にその磁気を検知し、磁気検知信号を出力」することは、本願補正発明１の構成Ｋにおける「前記遊技盤の盤面に沿い転動する遊技球を前記盤面部品に誘導するように当該遊技球に対し前記前扉の前記透明板を介し磁石を対向させたとき、前記磁気センサは、前記磁石の磁気を検出してエラー検出信号を発生」することに相当する。
　よって、引用発明は、本願補正発明１の構成Ｋに相当する構成を有する。
シ　本願補正発明１の構成Ｌに関して
　引用発明の構成ｌにおいて、「画像表示手段１８」は、「異常監視手段９４」が「磁気センサ７１から磁気検知信号を受けた場合、画像表示手段１８へのエラー表示の処理を実行」することによって、「エラー表示」が表示されるものである。
　そして、引用発明の構成ｌにおける、「画像表示手段１８」は「異常監視手段９４」が「磁気センサ７１から磁気検知信号を受けた場合、」「エラー表示の処理を実行」することによって、「エラー表示」が表示されることと、本願補正発明１の構成Ｌにおける「前記表示装置は、その表示面の全面に亘り、所定のエラー画像を、前記演出表示中の表示内容を視認できないように、前記磁気センサの前記エラー検出信号に基づき、表示する」ことを対比すると、両者は、「前記表示手段は」、「所定のエラー画像を」「前記磁気センサの前記エラー検出信号に基づき、表示する」点で一致する。
ス　本願補正発明１の構成Ｍに関して
　引用発明の構成ｌ及び構成ｍにおいて、「エラー警告音出力手段」は、「異常監視手段９４」が「磁気センサ７１から磁気検知信号を受けた場合、」「エラー警告音出力手段へのエラー警告音の出力の処理を実行」することによって、「エラー警告音」が「出力」されるものである。
　そして、引用発明の構成ｌ及び構成ｍにおける、「エラー警告音出力手段」は「異常監視手段９４」が「磁気センサ７１から磁気検知信号を受けた場合、」「エラー警告音出力手段へのエラー警告音の出力の処理を実行する」ことによって、「エラー警告音」が「出力」されることと、本願補正発明１の構成Ｍにおける「前記音演出装置は、前記磁気センサの前記エラー検出信号に基づき、最大音量にてエラー音を発生するようにした」ことを対比すると、両者は、「前記音演出装置は、前記磁気センサの前記エラー検出信号に基づき、」「エラー音を発生するようにした」点で一致する。
セ　本願補正発明１の構成Ｎに関して
　引用発明の構成ｎにおける「パチンコ機」は、本願補正発明１の構成Ｎにおける「遊技機」に相当する。
　よって、引用発明は、本願補正発明１の構成Ｎに相当する構成を有する。
　以上のことから、本願補正発明１と引用発明は、以下の点で一致する。
＜一致点＞
「Ａ　遊技盤を設けてなる遊技機本体と、
Ｂ　前記遊技盤の盤面に対向可能な透明板を有して、前記遊技機本体に対し前記遊技盤の盤面側にて開閉可能に支持される前扉と、
Ｃ　前記遊技盤に形成してなる盤面部品取り付け用開孔部にその前側から取り付けられる盤面部品と、
Ｄ　前記遊技盤にその裏側から設けられる裏部品と
Ｅ　を備える遊技機において、
Ｆ　前記遊技機にその裏側から設けられる裏カバーと、
Ｇ　前記遊技盤に形成してなる中央開口部に対向するように前記裏カバーに形成してなる組み付け穴部に前記中央開口部を通してその前方から視認可能なように組み付けられて演出表示を行う表示装置と、
Ｈ’音出力手段と、
Ｉ　磁気センサとを備えており、
Ｊ’当該磁気センサは、前記遊技盤の前記盤面部品取り付け用開口部に対しその後側から前記裏部品に支持されており、
Ｋ　前記遊技盤の盤面に沿い転動する遊技球を前記盤面部品に誘導するように当該遊技球に対し前記前扉の前記透明板を介し磁石を対向させたとき、前記磁気センサは、前記磁石の磁気を検出してエラー検出信号を発生し、
Ｌ’前記表示装置は、所定のエラー画像を、前記磁気センサの前記エラー検出信号に基づき、表示するようになっており、
Ｍ’前記音演出装置は、前記磁気センサの前記エラー検出信号に基づき、エラー音を発生するようにした
Ｎ　遊技機。」
　そして、両者は、以下の点で相違する。 
 
＜相違点１＞（構成Ｊに関して）
　磁気センサに関して、本願補正発明１では、磁気センサが、遊技盤の盤面部品取り付け用開口部に対し、その後ろ側から当該盤面部品取り付け用開孔部を通して投影されたとき当該投影の領域内に位置するように対向して、磁気の流れを妨げられることなく良好な磁気検出機能を発揮し得るように前記裏部品に支持されているのに対して、引用発明では、磁気センサ７１が普通入賞口ユニット装着孔５ｅの後側に保持されていると認められるが、前記磁気センサ７１が、普通入賞口ユニット装着孔５ｅを通して投影されたとき当該投影の領域内に位置するように対向し、磁気の流れを妨げられることなく良好な磁気検出機能を発揮し得るように裏ケースに支持されているか否かは不明である点。
＜相違点２＞（構成Ｌに関して）
　エラー画像の表示に関して、本願補正発明１では、表示装置の表示面の全面に亘り、所定のエラー画像を、演出表示中の表示内容を視認できないように、表示するのに対して、引用発明ではエラー表示の詳細が不明である点。
＜相違点３＞（構成Ｈ及び構成Ｍに関して）
　音出力手段に関して、本願補正発明１は、音出力手段が前扉に設けられる音演出装置であり、前記音演出装置は、最大音量にてエラー音を発生するようにされているのに対して、引用発明は、音出力手段が音演出装置であるか否かは不明であり、また、前扉に設けられたか否かも不明であり、さらに、最大音量にてエラー音を発生するようにされたか否かも不明である点。
（４）　判断
ア　相違点１について
　上記引用文献２記載事項における「磁気検知センサ１５５」及び「第１貫通孔３７」は、それぞれ、本願補正発明１の上記相違点１に係る構成における「磁気センサ」及び「盤面部品取り付け用開口部（又は開孔部）」に相当し、引用文献２記載事項における「磁気検知センサ１５５が」「第１貫通孔３７の開口の範囲内の後方に対向させて」「配設された」構成は、本願補正発明１の上記相違点１に係る構成における「前記磁気センサ」が、「前記遊技盤の前記盤面部品取り付け用開口部に対しその後側から当該盤面部品取り付け用開孔部を通して投影されたとき当該投影の領域内に位置するように対向して」「支持され」た構成に相当する。
　また、上記引用文献２記載事項には、本願補正発明１の上記相違点１に係る構成のうち、「磁気センサ」が「磁気の流れを妨げられることなく良好な磁気検出機能を発揮し得るように」「支持され」た点についての特定はされていないが、本願の明細書の記載を参照すると、「磁気の流れを妨げられることなく良好な磁気検出機能を発揮し得るように」「裏部品に支持される」構成は、「磁気センサを、」「遊技盤の上記盤面部品取り付け用開口部に対しその後側から当該盤面部品取り付け用開孔部を通して投影されたとき当該投影の領域内に位置するように対向」させるだけで実現可能であると認められ、上記引用文献２記載事項も、「磁気検知センサ１５５が」「第１貫通孔３７の開口の範囲内の後方に対向させて」「配設され」ることにより「磁気の流れを妨げられることなく良好な磁気検出機能を発揮し得るように」構成されていると認められる。
　そして、引用発明と引用文献２記載事項は、いずれも、磁気センサを用いて不正検出を行う遊技機という共通の技術分野に属するものであり、ともに、不正行為を的確に検出するという自明な共通の課題を有するものであるから、引用発明において、磁気センサが対向する部位を設定するにあたって、引用文献２記載事項に記載された技術を適用して、磁気センサを、普通入賞口ユニット装着孔５ｅの開口の範囲内の後方に対向させるように構成し、本願補正発明１の上記相違点１に係る構成とすることは、当業者が容易に想到し得ることである。
イ　相違点２について
　上記引用文献３記載事項における「装飾図柄表示装置２０８に表示されている演出表示を消去し、背景をブルースクリーンにし「磁石を検知しました」の文字表示を表示する」することは、本願補正発明の上記相違点２に係る構成における「表示装置の表示面の全面に亘り、所定のエラー画像を、演出表示中の表示内容を視認できないように、表示する」ことに相当する。
　ここにおいて、引用発明と引用文献３記載事項は、いずれも、磁気センサを用いて不正検出を行い、不正を検出した場合にエラー画像を表示する遊技機という共通の技術分野に属するものであり、ともに、不正行為を的確に報知するという自明な共通の課題を有するものであるから、引用発明において、磁気センサ７１からの検知信号に基づいてエラー表示を実行するにあたって、引用文献３記載事項に記載された技術を適用し、画像表示手段に表示されている演出表示を消去し、磁石検知エラー用の表示が表示されるように構成して、本願補正発明１の上記相違点２に係る構成とすることは、当業者が容易に想到し得ることである。
ウ　相違点３について
　本願出願前に公開された特開２０１５−２０２２４２号公報の【０３５９】には、「エラー報知の具体的な方法は任意であるが、本実施形態においては、統括ＣＰＵ１４１は、エラーが発生していることを液晶表示器５において表示するとともに、「入賞口エラーです」といった音声と、
所定のエラー報知音とを最大音量でスピーカ２４から出力する。
　同特開２０１２−１２０７２７号公報の【０１６９】には、「遊技制御装置１００または演出制御装置３００のいずれかでエラーが発生した時に、
スピーカの音量がボリュームＳＷによって最大レベルよりも低いレベルに設定されていたとしても、最大音量によるエラー報知音が出力される。
　してみると、遊技機の技術分野において、エラー音の出力に用いる音出力手段として、前扉に設けられる音演出装置を採用し、最大音量でエラー音を発生するように構成することは、本願出願前周知の事項である。
　ここにおいて、引用発明と上記した本願出願前周知の事項は、いずれも、エラー音を用いたエラーの報知を行う遊技機という共通の技術分野に属するものであり、ともに、不正行為を的確に報知するという課題を有するものであるから、引用発明において、エラー音を用いてエラーの報知を行うにあたって、本願出願前周知の事項を適用し、前扉に設けられる音演出装置を用いて最大音量にてエラー音を発生するように構成して、本願補正発明１の上記相違点３に係る構成とすることは、当業者が容易に想到し得ることである。
エ　本願補正発明１の作用効果について
　本願補正発明１の作用効果は、引用発明、引用文献２記載事項、引用文献３記載事項、及び、本願出願前周知の事項に基づいて当業者が予測できる範囲のものであり、格別なものではない。
（５）　請求人の主張への反論
　請求人は、審判請求書において、
「（１−２）当該本願発明の構成によれば、次のような本願発明に特有の種々の作用効果が達成され得る。
・磁気センサは、遊技盤の上記盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように裏部品に支持される。
　ここで、盤面部品取り付け用開孔部の前後両側においては、盤面部品が存在するのみで、他の構成部品やベニヤ板の積層体等の密集した構成を伴うことなく、簡単な構成となっている。
　従って、磁気センサを、上述のごとく、遊技盤の上記盤面部品取り付け用開口部に対しその後側から当該盤面部品取り付け用開孔部を通して投影されたとき当該投影の領域内に位置するように対向して、磁気の流れを妨げられることなく良好な磁気検出機能を発揮し得るように裏部品に支持する構成とすることで、当該磁気センサは、その磁気の流れを妨げられたりすることなく、良好な磁気検出機能を発揮し得る。」
と主張している。
　そこで、本願補正発明１における「磁気センサ」が「磁気の流れを妨げられることなく良好な磁気検出機能を発揮し得るように前記裏部品に支持され」る構成について、どのような構成とされているのかについて検討すると、本願の明細書において、「磁気の流れを妨げられることなく良好な磁気検出機能を発揮し得るように裏部品に支持する構成」を実現するために、磁気センサをどのように配置すべきかに関しては、特に検討がなされておらず、「磁気の流れを妨げられることなく良好な磁気検出機能を発揮し得るように裏部品に支持する構成」は、「磁気センサを、」「遊技盤の上記盤面部品取り付け用開口部に対しその後側から当該盤面部品取り付け用開孔部を通して投影されたとき当該投影の領域内に位置するように対向」させるだけで実現可能であると認められる。
　してみると、引用文献２記載事項も、同様に、「磁気の流れを妨げられることなく良好な磁気検出機能を発揮し得る」ものということになり、請求人が主張する上記の作用効果は、引用発明、及び、引用文献２記載事項により奏し得たものであると認められ、請求人の上記の主張は採用できない。
（６）　小括
　よって、本願補正発明１は、引用発明、引用文献２記載事項、引用文献３記載事項、及び、本願出願前周知の事項に基づいて当業者が容易に発明をすることができたものであるから、本願補正発明２についての検討を行うまでもなく、特許法第２９条第２項の規定により特許出願の際独立して特許を受けることができないものである。
４　むすび
　以上のことから、本件補正は、上記２（３）イにおいて既に検討したように、特許法第１７条の２第５項各号に掲げるいずれの事項をも目的としない補正事項を含むものである。
　また、本願補正発明は、引用発明、引用文献２記載事項、引用文献３記載事項、及び、本願出願前周知の事項に基づいて当業者が容易に発明をすることができたものであるから、本件補正は、同法第１７条の２第６項で準用する同法第１２６条第７項の規定に違反するものである。
　よって、本件補正は、特許法第１５９条第１項において読み替えて準用する同法第５３条第１項の規定により却下されるべきものである。
第３　本願発明について
１　本願発明
　令和２年８月２５日付けの手続補正は、上記のとおり却下されたので、本願の請求項１に係る発明は、令和１年８月５日になされた手続補正により補正された特許請求の範囲の請求項１に記載されたとおりのもの（上記第２［理由］１の「本件補正前」の記載を参照）（以下「本願発明１」という。）であり、分説してＡ１ないしＮ１の符号を付与すると、以下のとおりである。
「Ａ１　遊技盤を設けてなる遊技機本体と、
Ｂ１　前記遊技盤の盤面に対向可能な透明板を有して、前記遊技機本体に対し前記遊技盤の盤面側にて開閉可能に支持される前扉と、
Ｃ１　前記遊技盤に形成してなる盤面部品取り付け用開孔部にその前側から対向するように前記遊技盤の盤面に設けられる盤面部品と、
Ｄ１　前記遊技盤にその裏側から設けられる裏部品と
Ｅ１　を備える遊技機において、
Ｆ１　前記遊技機にその裏側から設けられる裏カバーと、
Ｇ１　前記遊技盤に形成してなる中央開口部に対向するように前記裏カバーに形成してなる組み付け穴部に前記中央開口部を通してその前方から視認可能なように組み付けられて演出表示を行う表示装置と、
Ｈ１　前記前扉に設けられる音演出装置と、
Ｉ１　前記盤面部品取り付け用開孔部に対向するように前記裏部品に支持される磁気センサとを備えており、
Ｋ１　前記遊技盤の盤面に沿い転動する遊技球を前記盤面部品に誘導するように当該遊技球に対し前記前扉の前記透明板を介し磁石を対向させたとき、前記磁気センサは、前記磁石の磁気を検出してエラー検出信号を発生し、
Ｌ１　前記表示装置は、その表示面の全面に亘り、所定のエラー画像を、前記演出表示中の表示内容を視認できないように、前記磁気センサの前記エラー検出信号に基づき、表示するようになっており、
Ｍ１　前記音演出装置は、前記磁気センサの前記エラー検出信号に基づき、最大音量にてエラー音を発生するようにした
Ｎ１　ことを特徴とする遊技機。」
２　原査定の拒絶の理由
　原査定の拒絶の理由は、本願発明１に対する拒絶の理由を含むものであり、その概要は以下のとおりである。
　本願発明１は、本願の出願前に日本国内又は外国において頒布された又は電気通信回線を通じて公衆に利用可能となった下記の引用文献１、引用文献２、及び、引用文献３に記載された事項に基づいて、本願の出願前にその発明の属する技術の分野における通常の知識を有する者が容易に発明をすることができたものであるから、特許法第２９条第２項の規定により特許を受けることができない。
引用文献１：特開２０１３−１４６３９４号公報
引用文献２：特開２０１５−２９７３０号公報
引用文献３：特開２０１６−３００７５号公報
３　引用文献とそれに記載された事項
　原査定の拒絶の理由で引用された引用文献１、引用文献２、及び、引用文献３は、それぞれ、上記第２における引用文献１、引用文献２、及び、引用文献３に対応し、それらの記載事項は、それぞれ、上記第２［理由］３（２）ア、イ及びウに記載したとおりである。
４　対比・判断
（１）　対比
　本願発明１と引用発明とを対比する。
ア　本願発明１の構成Ａ１、Ｂ１、Ｄ１、Ｅ１、Ｆ１、Ｇ１、Ｋ１及びＮ１に関して
　本願発明１の構成Ａ１、Ｂ１、Ｄ１、Ｅ１、Ｆ１、Ｇ１、Ｋ１及びＮ１は、それぞれ、本願補正発明１の構成Ａ、Ｂ、Ｄ、Ｅ、Ｆ、Ｇ、Ｋ及びＮに相当する。
　よって、前記第２の３（３）ア、イ、エ、オ、カ、キ、サ及びセにおいて検討したように、引用発明は、本願発明１の構成Ａ１、Ｂ１、Ｄ１、Ｅ１、Ｆ１、Ｇ１、Ｋ１及びＮ１に相当する構成を有する。
イ　本願発明１の構成Ｃ１に関して
　引用発明の構成ｃにおける「遊技盤５に設けられた普通入賞口ユニット装着孔５ｅ」は、本願発明１の構成Ｃ１における「前記遊技盤に形成してなる盤面部品取り付け用開孔部」に相当し、引用発明の構成ｃにおける「普通入賞口ユニット１７」は、本願発明１の構成Ｃ１における「盤面部品」に相当し、引用発明の構成ｃにおける「前側から」「遊技盤５に」「装着され」ることは、本願発明１の構成Ｃ１における「前側から対向するように前記遊技盤の盤面に設けられる」ことに相当する。
　したがって、引用発明の構成ｃにおける「遊技盤５に設けられた普通入賞口ユニット装着孔５ｅに対して前側から着脱自在に装着され」る「普通入賞口ユニット１７」は、本願発明１の構成Ｃ１における「前記遊技盤に形成してなる盤面部品取り付け用開孔部にその前側から対向するように前記遊技盤の盤面に設けられる盤面部品」に相当する。
　よって、引用発明は、本願発明１の構成Ｃ１に相当する構成を有する。
ウ　本願発明１の構成Ｈ１に関して
　引用発明の構成ｈにおける「エラー警告音出力手段」と本願発明１の構成Ｈ１における「音演出装置」とは、音出力手段である点で共通する。
エ　本願発明１の構成Ｉ１に関して
（ア）　引用発明の構成ｉ及び構成ｊにおける「磁気センサ７１を」「保持する」「センサホルダ７３」の「ベース体８３」が「裏ケース１９の前側にねじ止め等により着脱自在に固定される」ことは、「センサホルダ７３」の「ベース体８３」を介して「磁気センサ７１」が「裏ケース１９」に「保持」されることになるから、本願発明１の構成Ｉ１における「前記磁気センサ」が「前記裏部品に支持され」ることに相当する。
（イ）　引用発明は、構成ｃにおいて「普通入賞口ユニット１７」は「遊技盤５に設けられた普通入賞口ユニット装着孔５ｅに」「着脱自在に装着され」るものである点が特定されていることから、引用発明の構成ｉ及び構成ｊにおける「普通入賞口ユニット１７」「に対応して」「保持」されることは、「普通入賞口ユニット装着孔５ｅ」「に対応して」「保持」されることであると認められる。そして、その構成と、本願発明１の構成Ｉ１における「前記盤面部品取り付け用開孔部に対向するように」「支持される」こととを対比すると、両者は、「前記盤面部品取り付け用開孔部に」対応させて「前記裏部品に支持される」点で一致する。
（ウ）　上記（ア）及び（イ）より、引用発明の構成ｉ及び構成ｊにおける「普通入賞口ユニット１７」「に対応して裏ケース１９の前側にねじ止め等により着脱自在に固定され」る「センサホルダ７３」の「ベース体８３」を介して「保持」された「磁気センサ７１」と、本願発明１の構成Ｉ１における「前記盤面部品取り付け用開孔部に対向するように前記裏部品に支持される磁気センサ」とは、「前記盤面部品取り付け用開孔部に」対応させて「前記裏部品に支持される磁気センサ」である点で一致する。
　よって、両者は、「前記盤面部品取り付け用開孔部に」対応させて「前記裏部品に支持される磁気センサを備える」点で一致する。
オ　本願発明１の構成Ｌ１に関して
　引用発明の構成ｌにおいて、「画像表示手段１８」は、「異常監視手段９４」が「磁気センサ７１から磁気検知信号を受けた場合、画像表示手段１８へのエラー表示の処理を実行」することによって、「エラー表示」が表示されるものである。
　そして、引用発明の構成ｌにおける、「画像表示手段１８」は「異常監視手段９４」が「磁気センサ７１から磁気検知信号を受けた場合、」「エラー表示の処理を実行」することによって、「エラー表示」が表示されることと、本願発明１の構成Ｌ１における「前記表示装置は、その表示面の全面に亘り、所定のエラー画像を、前記演出表示中の表示内容を視認できないように、前記磁気センサの前記エラー検出信号に基づき、表示する」ことを対比すると、両者は、「前記表示手段は」、「所定のエラー画像を」「前記磁気センサの前記エラー検出信号に基づき、表示する」点で一致する。
カ　本願発明１の構成Ｍ１に関して
　引用発明の構成ｌ及び構成ｍにおいて、「エラー警告音出力手段」は、「異常監視手段９４」が「磁気センサ７１から磁気検知信号を受けた場合、」「エラー警告音出力手段へのエラー警告音の出力の処理を実行」することによって、「エラー警告音」が「出力」されるものである。
　そして、引用発明の構成ｌ及び構成ｍにおける「エラー警告音出力手段」が、「異常監視手段９４」が「磁気センサ７１から磁気検知信号を受けた場合、」「エラー警告音の出力の処理を実行」することによって、「エラー警告音」が「出力」されることと、本願発明１の構成Ｍ１における「前記音演出装置は、前記磁気センサの前記エラー検出信号に基づき、最大音量にてエラー音を発生するようにした」ことを対比すると、両者は、「前記音演出装置は、前記磁気センサの前記エラー検出信号に基づき、」「エラー音を発生するようにした」点で一致する。
　以上のことから、本願発明１と引用発明は、以下の点で一致する。
＜一致点＞
「Ａ１　遊技盤を設けてなる遊技機本体と、
Ｂ１　前記遊技盤の盤面に対向可能な透明板を有して、前記遊技機本体に対し前記遊技盤の盤面側にて開閉可能に支持される前扉と、
Ｃ１　前記遊技盤に形成してなる盤面部品取り付け用開孔部にその前側から取り付けられる盤面部品と、
Ｄ１　前記遊技盤にその裏側から設けられる裏部品と
Ｅ１　を備える遊技機において、
Ｆ１　前記遊技機にその裏側から設けられる裏カバーと、
Ｇ１　前記遊技盤に形成してなる中央開口部に対向するように前記裏カバーに形成してなる組み付け穴部に前記中央開口部を通してその前方から視認可能なように組み付けられて演出表示を行う表示装置と、
Ｈ１’音出力手段と、
Ｉ１’前記盤面部品取り付け用開孔部に対応させて前記裏部品に支持される磁気センサとを備えており、
Ｋ１　前記遊技盤の盤面に沿い転動する遊技球を前記盤面部品に誘導するように当該遊技球に対し前記前扉の前記透明板を介し磁石を対向させたとき、前記磁気センサは、前記磁石の磁気を検出してエラー検出信号を発生し、
Ｌ１’前記表示装置は、所定のエラー画像を、前記磁気センサの前記エラー検出信号に基づき、表示するようになっており、
Ｍ１’前記音演出装置は、前記磁気センサの前記エラー検出信号に基づき、エラー音を発生するようにした
Ｎ１　遊技機。」
　そして、両者は、以下の点で相違する。
＜相違点Ａ＞（構成Ｉ１に関して）
　磁気センサの支持に関して、本願発明１は、磁気センサが盤面部品取り付け用開孔部に対向するように裏部品に支持されているのに対して、引用発明は、磁気センサ７１が普通入賞口ユニット装着孔５ｅの後側に対応させて裏ケース１９に保持されているが、磁気センサ７１が普通入賞口ユニット装着孔５ｅに対向して保持されているか否かが不明である点。
＜相違点Ｂ＞（構成Ｌ１に関して）
　エラー画像の表示に関して、本願発明１では、表示装置の表示面の全面に亘り、所定のエラー画像を、演出表示中の表示内容を視認できないように、表示するのに対して、引用発明ではエラー表示の詳細が不明である点。
＜相違点Ｃ＞（構成Ｈ１及び構成Ｍ１に関して）
　音出力手段に関して、本願発明１は、音出力手段が前扉に設けられる音演出装置であり、前記音演出装置は、最大音量にてエラー音を発生するようにされているのに対して、引用発明は、音出力手段が音演出装置であるか否かは不明であり、また、前扉に設けられたか否かも不明であり、さらに、最大音量にてエラー音を発生するようにされたか否かも不明である点。
（２）　判断
　上記の各相違点について検討する。
ア　相違点Ａについて
　上記引用文献２記載事項における「磁気検知センサ１５５」及び「第１貫通孔３７」は、それぞれ、本願発明１の上記相違点Ａに係る構成における「磁気センサ」及び「盤面部品取り付け用開孔部」に相当し、引用文献２記載事項における「磁気検知センサ１５５が」「第１貫通孔３７」「に対向させて」「配設された」構成は、本願発明１の上記相違点Ａに係る構成における「前記磁気センサ」が、「前記盤面部品取り付け用開孔部に対向するように」「支持され」た構成に相当する。
　そして、引用発明と引用文献２記載事項は、いずれも、磁気センサを用いて不正検出を行う遊技機という共通の技術分野に属するものであり、ともに、不正行為を的確に検出するという自明な共通の課題を有するものであるから、引用発明において、磁気センサを支持するにあたって、引用文献２記載事項に記載された技術を適用して、磁気センサを、普通入賞口ユニット装着孔５ｅに対向させるように保持し、本願発明１の上記相違点Ａに係る構成とすることは、当業者が容易に想到し得ることである。
イ　相違点Ｂ及び相違点Ｃについて
　相違点Ｂ及び相違点Ｃは、実質的に上記第２の３（３）において検討した本願補正発明１と引用発明との対比における相違点２及び相違点３と同じものであり、それらの相違点については、上記第２の３（４）において検討したとおりである。
　したがって、本願発明１は、引用発明、引用文献２記載事項、引用文献３記載事項、及び、本願出願前周知の事項に基づいて当業者が容易に発明をすることができたものである
第４　むすび
　以上のとおりであるから、本願発明１は、特許法第２９条第２項の規定により特許を受けることができないから、他の請求項に係る発明について検討するまでもなく、本願は拒絶されるべきものである。
　よって、結論のとおり審決する。